(57)【要約】    【課題】構造上、配置上の制約を極力少なくでき、しかも回転反射板の反射面により光源からの光を広範囲に反射でき、回転反射板の回転による明滅発光をより鮮明にできるようにする。    【解決手段】光源３３と、この光源３３からの光を反射する凹面状の反射面３４を有し且つ光源３３の外周を回転する回転反射板３５とを含む回転表示装置２８を備える。回転反射板３５は縦軸心廻りに回転する回転体３２上に設け、光源３３は反射面３４の凹入中心Ｐよりも回転反射板３５側に配置する。【選択図】    図５
2010184157.tif 000002
【特許請求の範囲】
【請求項１】
光源（３３）と、該光源（３３）からの光を反射する凹面状の反射面（３４）を有し且つ前記光源（３３）の外周を回転する回転反射板（３５）とを含む回転表示装置（２８）を備えた遊技機において、前記回転反射板（３５）を縦軸心廻りに回転可能にし、前記反射面（３４）の凹入中心（Ｐ）よりも前記回転反射板（３５）側に前記光源（３３）を配置したことを特徴とする遊技機。
【請求項２】
光源（３３）と、該光源（３３）からの光を反射する凹面状の反射面（３４）を有し且つ前記光源（３３）の外周を回転する回転反射板（３５）とを含む回転表示装置（２８）を備えた遊技機において、縦軸心廻りに回転する回転体（３２）に前記回転反射板（３５）を設け、前記反射面（３４）の凹入中心（Ｐ）よりも前記回転反射板（３５）側で且つ前記回転体（３２）の回転中心（Ｏ）近傍に前記光源（３３）を設けたことを特徴とする遊技機。
【請求項３】
光源（３３）と、該光源（３３）からの光を反射する凹面状の反射面（３４）を有し且つ前記光源（３３）の外周を回転する回転反射板（３５）とを含む回転表示装置（２８）を備えた遊技機において、縦軸心廻りに回転する回転体（３２）に前記回転反射板（３５）を設け、前記回転反射板（３５）が前記光源（３３）の後側を通過するときの前記反射面（３４）の凹入中心（Ｐ）よりも前記回転反射板（３５）側で且つ前記回転体（３２）の略回転中心（Ｏ）から外れた位置に前記光源（３３）を設けたことを特徴とする遊技機。
【請求項４】
支持ケース（２９）上に前記回転体（３２）を配置すると共に、該回転体（３２）の貫通孔（６２）を貫通して上方に突出する前記光源（３３）を前記回転体（３２）の下側で前記支持ケース（２９）に固定し、前記回転体（３２）上に前記回転反射板（３５）を設けたことを特徴とする請求項２又は３に記載の遊技機。
【請求項５】
前記回転体（３２）の後方近傍に、前記光源（３３）及び前記回転反射板（３５）からの光を前側に反射する固定反射板（３６）を設けたことを特徴とする請求項２〜４の何れかに記載の遊技機。
【請求項６】
前記支持ケース（２９）上に、少なくとも前面側が光透過性を有する外カバー（３０）を設け、該外カバー（３０）内に前記光源（３３）、前記回転反射板（３５）及び前記回転体（３２）を設けたことを特徴とする請求項４に記載の遊技機。
【請求項７】
前記光源（３３）は光透過性を有する筒状の光源カバー（４４）と、該光源カバー（４４）内に挿脱自在に挿入された基板（４５）と、該基板（４５）の両側面に所定間隔を置いて装着された複数の発光体（４６）とを備えたことを特徴とする請求項１〜６の何れかに記載の遊技機。
【請求項８】
前記光源カバー（４４）の下端部のフランジ部（４９）を押えて支持体（４１）に固定する押え板（５４）を設け、該押え板（５４）は前記基板（４５）の下端部が嵌合して該基板（４５）を受ける受け部（５９）を有し、該受け部（５９）は前記基板（４５）の下端部のコネクタ（５８）に対応する切り欠き部（６０）を有することを特徴とする請求項７に記載の遊技機。
【発明の詳細な説明】
【技術分野】
【０００１】
本発明は、パチンコ機、アレンジボール機、スロットマシン等の遊技機、取り分けその遊技状態を視覚的に演出又は報知する回転表示装置の改良に関するものである。
【背景技術】
【０００２】
スロットマシン等の遊技機では、遊技機の前面上部に回転表示装置を装着し、この回転表示装置によって大当たり予告を行う等、その時点の遊技状態を視覚的に演出又は報知するようにしたものがある（特許文献１）。
【０００３】
このカバー表示装置は、赤色系等に着色された外カバー内に、前後方向の回転軸廻りに回転する回転体と、この回転体の回転中心上に配置された光源と、回転体に固定され且つ光源の外周を回転しながら光源からの光を反射する回転反射板とを備え、遊技中に所定の遊技状態になる場合又はなった場合に、光源を発光させた状態で回転反射板を回転させて、外カバーを赤色等で明滅発光させるように構成されている。
【先行技術文献】
【特許文献】
【０００４】
【特許文献１】特開２００１−２７６３０９号公報
【発明の概要】
【発明が解決しようとする課題】
【０００５】
従来の回転表示装置は、回転体、回転反射板を前後方向の回転軸廻りに回転させる構造であるため、回転表示装置全体を回転軸の軸心方向に長くした場合には、前端側が遊技機の前面から大きく突出することになる。このため従来の回転表示装置は、光源に球状ランプを使用して回転軸の軸心方向の長さを極力抑えつつ、比較的邪魔になり難い遊技機の前面上部に配置する等、その構造上からも、配置上からも極端に制約される欠点がある。
【０００６】
また従来の回転表示装置は、回転体の回転中心近傍に光源を配置し、回転反射板の反射面を光源に対して略同心状に形成しており、光源からの光を回転反射板の反射面で反射しても、その反射光の多くが光源の近傍に集中するようになっている。このため回転反射板からの反射光の多くが光源によって遮られて、外カバーの光源に対して回転反射板と反対側に対応する部分は、光源から直接照射される光によって発光することになり、外カバーの広範囲を十分に発光させることができない欠点がある。
【０００７】
本発明は、このような従来の問題点に鑑み、構造上、配置上の制約を極力少なくでき、しかも回転反射板の反射面により光源からの光を広範囲に反射でき、回転反射板の回転による明滅発光をより鮮明にできる遊技機を提供することを目的とする。
【課題を解決するための手段】
【０００８】
第１の本発明は、光源３３と、該光源３３からの光を反射する凹面状の反射面３４を有し且つ前記光源３３の外周を回転する回転反射板３５とを含む回転表示装置２８を備えた遊技機において、前記回転反射板３５を縦軸心廻りに回転可能にし、前記反射面３４の凹入中心Ｐよりも前記回転反射板３５側に前記光源３３を配置したものである。
【０００９】
第２の本発明は、光源３３と、該光源３３からの光を反射する凹面状の反射面３４を有し且つ前記光源３３の外周を回転する回転反射板３５とを含む回転表示装置２８を備えた遊技機において、縦軸心廻りに回転する回転体３２に前記回転反射板３５を設け、前記反射面３４の凹入中心Ｐよりも前記回転反射板３５側で且つ前記回転体３２の回転中心Ｏ近傍に前記光源３３を設けたものである。
【００１０】
第３の本発明は、光源３３と、該光源３３からの光を反射する凹面状の反射面３４を有し且つ前記光源３３の外周を回転する回転反射板３５とを含む回転表示装置２８を備えた遊技機において、縦軸心廻りに回転する回転体３２に前記回転反射板３５を設け、前記回転反射板３５が前記光源３３の後側を通過するときの前記反射面３４の凹入中心Ｐよりも前記回転反射板３５側で且つ前記回転体３２の略回転中心Ｏから外れた位置に前記光源３３を設けたものである。
【００１１】
支持ケース２９上に前記回転体３２を配置すると共に、該回転体３２の貫通孔６２を貫通して上方に突出する前記光源３３を前記回転体３２の下側で前記支持ケース２９に固定し、前記回転体３２上に前記回転反射板３５を設けてもよい。前記回転体３２の後方近傍に、前記光源３３及び前記回転反射板３５からの光を前側に反射する固定反射板３６を設けてもよい。
【００１２】
前記支持ケース２９上に、少なくとも前面側が光透過性を有する外カバー３０を設け、該外カバー３０内に前記光源３３、前記回転反射板３５及び前記回転体３２を設けてもよい。前記光源３３は光透過性を有する筒状の光源カバー４４と、該光源カバー４４内に挿脱自在に挿入された基板４５と、該基板４５の両側面に所定間隔を置いて装着された複数の発光体４６とを備えてもよい。
【００１３】
前記光源カバー４４の下端部のフランジ部４９を押えて支持体４１に固定する押え板５４を設け、該押え板５４は前記基板４５の下端部が嵌合して該基板４５を受ける受け部５９を有し、該受け部５９は前記基板４５の下端部のコネクタ５８に対応する切り欠き部６０を有するものでもよい。
【発明の効果】
【００１４】
本発明では、回転反射板３５を縦軸心廻りに回転可能にし、反射面３４の凹入中心Ｐよりも回転反射板３５側に光源３３を配置することにより、光源３３が反射面３４の凹入中心Ｐよりも回転反射板３５側で且つ回転体３２の回転中心Ｏ近傍にあるか、回転反射板３５が光源３３の後側を通過するときの反射面３４の凹入中心Ｐよりも回転反射板３５側で且つ回転体３２の略回転中心Ｏから外れた位置にあるかを問わず、構造上、配置上の制約を極力少なくでき、しかも回転反射板３５の反射面３４により光源３３からの光を広範囲に反射でき、回転反射板３５の回転による明滅発光をより鮮明にできる。
【図面の簡単な説明】
【００１５】
【図１】本発明の第１の実施例を示すパチンコ機の斜視図である。
【図２】同遊技盤の正面図である。
【図３】同回転表示装置の正面図である。
【図４】同回転表示装置の拡大正面断面図である。
【図５】同回転表示装置の拡大側面断面図である。
【図６】同回転表示装置の拡大平面断面図である。
【図７】同回転表示装置の拡大平面断面図である。
【図８】同回転表示装置の分解斜視図である。
【図９】同作用説明図である。
【図１０】本発明の第２の実施例を示す回転表示装置の平面断面図である。
【図１１】本発明の第３の実施例を示す回転表示装置の平面断面図である。
【図１２】同回転表示装置の正面断面図である。
【図１３】本発明の第４の実施例を示す回転表示装置の平面断面図である。
【図１４】本発明の第５の実施例を示す回転表示装置の側面断面図である。
【図１５】同回転表示装置の平面断面図である。
【発明を実施するための形態】
【００１６】
以下、本発明の実施例を図面に基づいて詳細に説明する。図１〜図９は本発明の第１の実施例を示し、図１において、１は矩形枠状の外枠、２は前枠で、左右方向の一側で上下一対のヒンジ３を介して縦軸心廻りに開閉自在及び着脱自在に枢着され、ヒンジ３と反対側の施錠手段４により閉状態で外枠１に施錠されている。前枠２にはガラス扉５及び前面扉６がヒンジ３と略同一軸心のヒンジ廻りに開閉自在に装着され、ガラス扉５の裏側に遊技盤７が着脱自在に装着されている。
【００１７】
前面扉６には、発射用の遊技球を貯留するための供給皿８が装着されると共に、この供給皿８の左右両側に灰皿９と発射手段（図示省略）用の発射ハンドル１０とが装着されている。発射手段は、発射ハンドル１０を操作したときに供給皿８から１個ずつ供給される遊技球を打撃槌により打撃して遊技盤７のガイドレール１１側へと発射させるようになっている。ガラス扉５は遊技盤７を視認可能であり、その上部にはスピーカ１２が設けられている。
【００１８】
遊技盤７の前面には、図２に示すように、発射手段から発射された遊技球を案内するガイドレール１１が環状に装着され、そのガイドレール１１の内側の遊技領域１３内に特別図柄表示手段１４、普通図柄表示手段１５を構成する画像表示手段１６の他に、特別図柄始動手段１７、普通図柄始動手段１８、可変入賞手段１９、普通入賞手段２０等の複数の遊技部品が装着されている。
【００１９】
画像表示手段１６は、矩形状の表示窓２１を有し且つ遊技盤７の前面に装着された飾り枠２２と、表示窓２１に対応して飾り枠２２の裏側に装着された液晶表示部等の表示部２３とを備え、その表示部２３側が遊技盤７の開口に嵌合されている。表示部２３は特別図柄表示手段１４、普通図柄表示手段１５を構成し、特別図柄、普通図柄を夫々表示可能である。
【００２０】
特別図柄表示手段１４は、特別図柄始動手段１７の遊技球の検出を条件に１個又は複数個、例えば３個の特別図柄を所定時間変動させて、変動後に特定の組み合わせである大当たり態様と、それ以外の組み合わせである外れ態様との何れかで停止させるようになっている。普通図柄表示手段１５は、普通図柄始動手段１８の遊技球の検出を条件に１個又は複数個、例えば１個の普通図柄を所定時間変動させて、変動後に所定の当たり態様と、それ以外の外れ態様との何れかで停止させるようになっている。
【００２１】
特別図柄始動手段１７は一対の開閉片１７ａを有し、普通図柄表示手段１５の変動後の普通図柄が当たり態様で停止したときに、その開閉片１７ａが所定時間開放するようになっている。可変入賞手段１９は前側に開放する開閉板１９ａを有し、特別図柄表示手段１４の変動後の特別図柄が大当たり態様で停止して特別遊技状態が発生したときに開閉板１９ａが前側に開放して、上方から落下する遊技球を入賞口１９ｂへと案内するようになっている。
【００２２】
なお、可変入賞手段１９は所定数の遊技球が入賞するか、開放後に所定時間が経過するか、その何れか早い方で開閉板１９ａが閉じる開閉動作を複数回繰り返すようになっている。開閉動作は１回でもよい。
【００２３】
飾り枠２２は、遊技盤７の前面に当接する取り付け板２４と、この取り付け板２４の前側に装着された装飾部２５とを備えている。また飾り枠２２には、その表示窓２１の一側部に遊技球の導入口２６が、下部に導入口２６から導入された遊技球が左右に転動しながら遊技盤７の前側等に落下する転動ステージ２７が、他側部に遊技状態を視覚的に演出又は報知する回転表示装置２８が夫々設けられている。
【００２４】
回転表示装置２８は、例えば特別遊技状態が発生した場合に、その期間中、支持ケース２９の上側の外カバー３０が赤色その他で明滅発光して、そのときの特別遊技状態を視覚的に演出し報知するためのもので、飾り枠２２に表示窓２１側から凹入状に形成された切り欠き部３１内に配置されている。なお、回転表示装置２８は上下両側、表示窓２１と反対側が装飾部２５により覆われている。
【００２５】
この回転表示装置２８は、図３〜図７に示すように、下部の支持ケース２９と、この支持ケース２９上に縦軸心廻りに回転自在に配置された回転体３２と、この回転体３２の略回転中心Ｏ上に配置され且つ回転体３２から上方に突出する光源３３と、この光源３３からの光を反射する凹入状の乱反射面３４を有し且つ回転体３２と一体に光源３３の外周を回転する回転反射板３５と、回転体３２の後方近傍に配置され且つ光源３３及び回転反射板３５からの光を前側へと反射する固定反射板３６と、支持ケース２９上に装着され且つ固定反射板３６と共に回転体３２、光源３３及び回転反射板３５等をその前側を含む全周で覆う外カバー３０と、支持ケース２９の下側に固定され且つ支持ケース２９内のギヤー列３７を介して回転体３２を回転駆動する駆動モータ（駆動手段）３８とを有し、全体として後部側が平坦で左右方向に長い平面視長円状に構成され、上下両側の取り付け部３９，４０を介して飾り枠２２の所要箇所に裏側からネジ等により着脱自在に装着されている。
【００２６】
支持ケース２９は中間に配置された支持体４１と、この支持体４１の上下両側に所定の内部空間を形成するようにネジ等により着脱自在に装着された上カバー体４２、下カバー体４３を備え、下カバー体４３に下側の取り付け部４０が設けられている。
【００２７】
光源３３は上下方向に長い円柱状であって、光透過性を有する光源カバー４４と、この光源カバー４４内に前後方向に配置された基板４５と、この基板４５の両側面に上下方向に所定間隔を置いて装着された複数の発光ダイオード等の発光体４６とを有する。
【００２８】
光源カバー４４は縦長の円筒部４７と、この円筒部４７の上端を閉塞する球面部４８と、円筒部４７の下端に設けられたフランジ部４９とを有し、円筒部４７及び球面部４８の内周には基板４５の発光体４６に対応して乱反射面５０が形成されている。なお、この乱反射面５０は、内側へと円弧状に突出する上下方向の凸面条又はＶ溝等を周方向に多数形成する等によって構成されている。
【００２９】
そして、光源カバー４４は支持体４１及び回転体３２の貫通孔５２，６２に下側から挿入され、支持体４１の段部５３と押え板５４との間でフランジ部４９が挟持されて支持体４１に着脱自在に固定されている。フランジ部４９は下側に突出する一対の突起５５を有し、この突起５５が押え板５４の凹部５６に嵌合されて、光源カバー４４が回転不能に位置決めされている。押え板５４は支持体４１と下カバー体４３との間の内部空間でネジ等により支持体４１の下側に着脱自在に締結されている。
【００３０】
基板４５は縦長帯状であって、光源カバー４４の内周の直径方向の両側に対向して上下方向に形成された保持溝５７に下側から挿脱自在に挿入され、後縁よりも前縁が若干表示窓２１側となるように傾斜して前後方向に配置されている。これは遊技者側から見た場合に、回転反射板３５、固定反射板３６により反射された光を基板４５で遮らないようにするためである。なお、回転表示装置２８を左に配置する場合には、基板４５は逆向きに傾斜して前後方向に配置すればよい。
【００３１】
基板４５の下端は光源カバー４４から下方に突出しており、その下端部の一側面にコネクタ５８が設けられると共に、下端部が押え板５４の偏平筒状の受け部５９に挿入されて下方に抜けないように抜け止めされている。受け部５９には、コネクタ５８に対応して切り欠き部６０が形成され、この切り欠き部６０側でコネクタ５８に外部コネクタを接続できるようになっている。受け部５９は下カバー体４３の切り欠き部６１から下側に突出している。
【００３２】
回転体３２は円板状で、支持ケース２９の上面、即ち上カバー体４２の上面部４２ａに近接して配置されている。また回転体３２は貫通孔６２の外周で下方に突出する筒部６３を有し、その筒部６３の外周に筒部６４が套嵌した状態でリングギヤー６５が固定されている。回転体３２、リングギヤー６５は、回転体３２を下側から受けるリング状の受け板６６を介して支持ケース２９側の保持板６７の保持筒部６７ａを上下両側から挟み、リングギヤー６５の筒部６３が保持板６７の保持筒部６７ａに回転自在に嵌合されている。従って、回転体３２、リングギヤー６５は、保持板６７により縦軸心廻りに回転自在に支持されている。保持板６７はネジ６８により支持体４１のボス６９に着脱自在に固定され、また保持板６７の上側に上カバー体４２が当接している。
【００３３】
回転反射板３５は平面視形状が円弧状に湾曲する円弧状部７０と、この円弧状部７０の上端から光源３３の上方へと湾曲する球面状部７１とを一体に備え、これらに跨がって凹入状の乱反射面３４が形成され、また円弧状部７０の下端が回転体３２に一体に接続されている。円弧状部７０側の乱反射面３４は回転体３２の半径よりも大きい凹入半径を有し、その周方向の両端縁が回転体３２の直径方向の両端近傍に位置している。
【００３４】
従って、円弧状部７０側の乱反射面３４では、その凹入中心Ｐは回転体３２の回転中心Ｏに対して回転反射板３５と反対側にあり、回転体３２の略回転中心Ｏ上に位置する光源３３は、乱反射面３４の凹入中心Ｐよりも回転反射板３５側に接近して配置されている。回転反射板３５の乱反射面３４は、周方向及び上下方向に配置された多数の球面部３４ａを備え、これらの球面部３４ａで光源３３からの光を乱反射させるようになっている。
【００３５】
固定反射板３６は前側に乱反射面７２を有し且つ左右幅が回転反射板３５よりも大きい緩やかな円弧状で、左右方向の略中央が回転体３２の後方近傍に近接するように支持ケース２９上に配置され、周方向に複数の係合爪７４により上カバー体４２の上面部４２ａの後端縁に沿って着脱自在に固定されている。この固定反射板３６は、左右方向の略中央、即ち回転体３２の後方近傍から外側が回転体３２の側方まで大きく湾曲している。また乱反射面７２は、回転反射板３５の乱反射面３４と同様に、周方向及び上下方向に配置された多数の球面部７２ａを備え、これらの球面部７２ａで光源３３、回転反射板３５からの光を乱反射させるようになっている。
【００３６】
駆動モータ３８は表示窓２１と反対側で支持体４１に形成された取り付け部７５に下側からネジ７６等により着脱自在に装着されている。ギヤー列３７はリングギヤー６５、駆動ギヤー７７、中間ギヤー７８等により構成され、支持ケース２９の支持体４１と上カバー体４２との間の内部空間に配置されている。
【００３７】
駆動ギヤー７７は駆動モータ３８から上方に突出する駆動軸７９に固定されている。中間ギヤー７８は大ギヤー部８０と小ギヤー部８１とを備え、支持ケース２９の支持体４１と上カバー体４２との間に支架された固定軸８２により回転自在に支持されている。そして、中間ギヤー７８の大ギヤー部８０はリングギヤー６５に、小ギヤー部８１は駆動ギヤー７７に夫々噛合されている。なお、駆動モータ３８には減速機付きモータが使用されており、ギヤー列３７は駆動モータ３８の回転速度を若干増速して回転体３２へと伝達するようになっている。
【００３８】
リングギヤー６５には下方へと突出する被検出片８４が、支持ケース２９側には回転反射板３５の原点位置を被検出片８４を介して検出するセンサ８５が夫々設けられている。センサ８５は発光部８５ａと受光部８５ｂとを備えたもので、図５に仮想線で示すように回転反射板３５が光源３３の前面側となる原点に位置するときに、被検出片８４を介して原点位置を検出するように、支持体４１に装着されている。なお、支持体４１には、回転体３２の回転時に被検出片８４が通過する通過溝８６が形成されている。
【００３９】
外カバー３０は光透過性を有し、左右方向の長円状に形成されており、周方向に複数の係合爪８８、ネジ８９等により上カバー体４２の上面部４２ａに沿って着脱自在に固定されている。外カバー３０は後部側に固定反射板３６に対応する開口部８７が形成され、この開口部８７が固定反射板３６により塞がれている。なお、外カバー３０は赤色系等に適宜着色されており、光源３３等の光が内側に照射したときに、その色で着色発光するようになっている。外カバー３０の上端に取り付け部３９が設けられている。
【００４０】
このような構成の回転表示装置２８では、通常、図５に二点鎖線で示すように、回転反射板３５は光源３３を前側から覆う原点位置で停止している。そして、例えば遊技中に特別遊技状態が発生すれば、光源３３が点灯し回転反射板３５が回転することにより、外カバー３０が所定の色で明滅発光して特別遊技状態を視覚的に演出又は報知する。
【００４１】
即ち、遊技中に特別図柄始動手段１７が遊技球の入賞を検出して特別図柄表示手段１４の特別図柄が所定時間変動し、その停止図柄が大当たり態様となった場合には、特別遊技状態となって可変入賞手段１９の開閉板１９ａを開放する。そして、特別遊技状態になれば、回転表示装置２８の光源３３が点灯する一方、駆動モータ３８の駆動によりギヤー列３７を介して回転体３２が回転し、この回転体３２と一体に光源３３の外周を回転反射板３５が回転する。
【００４２】
光源３３が点灯すると、この光源３３からの光が回転反射板３５の乱反射面３４に照射し、その乱反射面３４で乱反射するが、光源３３が乱反射面３４の凹入中心Ｐよりも回転反射板３５側にある上に、その乱反射面３４が多数の球面部３４ａで構成されているため、図９に示すように乱反射面３４からの反射光が光源３３に集中することはなく、広範囲に反射させることができる。
【００４３】
そして、回転反射板３５が光源３３の後方を通過する場合には、光源３３から外カバー３０の前側内周面に直接照射する光の他に、回転反射板３５の乱反射面３４からの反射光が光源３３の両側を経て外カバー３０の前側内周面に照射するため、外カバー３０の前側を十分に発光させることができる。
【００４４】
また回転反射板３５が光源３３の前側を通過する場合には、その回転反射板３５に対応する部分の光を遮断でき、外カバー３０の回転反射板３５に対応する部分が暗くなる。一方、光源３３の後方には、多数の球面部７２ａで構成された乱反射面７２を有する固定反射板３６があり、その乱反射面７２に光源３３からの光と、回転反射板３５の乱反射面３４で反射された反射光とが照射し、乱反射面７２によってその光を前側へと反射する。このため回転反射板３５から外れた部分では、それらの光が外カバー３０の内周面を照射することになり、外カバー３０を十分に発光させることができる。
【００４５】
従って、回転反射板３５の回転に伴って外カバー３０を従来に比較してより鮮明に明滅発光させることができる。このため低照度の光源３３を使用することが可能となり、発光体４６に発光ダイオードを使用したり、その数を減らしたりすることもでき、低コストで長寿命化を図ることもできる。
【００４６】
また回転体３２、回転反射板３５が縦軸心廻りに回転する構造とする一方、光源３３を縦長状に構成しており、回転表示装置２８を前枠２の前面側に配置する場合にも前方への突出量を小さくでき、遊技者の邪魔になることがない。従って、構造的にも上下方向に長くできる他、配置に際してもその位置を比較的自由に選択することができ、設計の自由度が著しく向上する。
【００４７】
しかも光源３３は、光源カバー４４内に、両側面に発光体４６が装着された基板４５を挿入して構成しているので、簡単な構造で十分な長さの光源３３を容易且つ安価に製作することができる。更に光源３３は回転体３２の略回転中心Ｏ上に配置されているので、光源３３が回転体３２を貫通して上方に突出しているにも拘わらず、回転体３２の貫通孔６２を小して容易に強度を確保できる等、構造的に簡単にできる利点がある。
【００４８】
図１０は本発明の第２の実施例を例示する。この実施例では、回転反射板３５の乱反射面３４は、周方向の複数箇所で屈曲する屈曲面３４ｂにより凹入状に構成されている。他の構成は第１の実施例と略同様である。
【００４９】
このように乱反射面３４が屈曲凹入状の場合にも、その凹入中心Ｐよりも回転反射板３５側に光源３３を配置することにより、第１の実施例と同様の効果を得ることができる。従って、凹入状の乱反射面３４は、滑らかに湾曲する円弧状である必要はなく、屈曲状に構成してもよい。
【００５０】
図１１、図１２は本発明の第３の実施例を例示する。この実施例では、回転反射板３５が回転体３２と略同心状に構成されている。光源３３は、図１１に実線で示すように、回転反射板３５が光源３３の後側を通過するときの乱反射面３４の凹入中心Ｐよりも回転反射板３５側で且つ回転体３２の回転中心Ｏよりも後方側に偏心して配置されている。
【００５１】
光源３３は支持ケース２９の支持体４１から回転体３２を貫通して突出しており、回転体３２には、光源３３の偏心量に応じた貫通孔６２が形成されている。また光源３３側には、回転体３２の貫通孔６２を塞ぐ蓋板９０が固定されている。なお、他の構成は第１の実施例と略同様である。
【００５２】
この実施例では、回転反射板３５が光源３３の前側を通過する場合には、乱反射面３４の凹入中心Ｐより遠い側に光源３３が位置することになる。しかし、回転反射板３５が光源３３の後側を通過する場合には、そのときの乱反射面３４の凹入中心Ｐよりも回転反射板３５側に光源３３が位置するため、第１の実施例と同様な反射効果を得ることができる。従って、光源３３は回転体３２の回転中心Ｏから後方に偏心して配置してもよい。この実施例では、回転反射板３５を回転体３２に略同心状に構成しているが、同心状である必要はない。
【００５３】
図１３は本発明の第４の実施例を例示する。この実施例では、光源３３は回転反射板３５が光源３３の後側を通過するときの乱反射面３４の凹入中心Ｐよりも回転反射板３５側で且つ回転体３２の回転中心Ｏよりも前に配置されている。他の構成は第３の実施例と略同様である。
【００５４】
このように光源３３は回転反射板３５が光源３３の後側を通過するときの乱反射面３４の凹入中心Ｐよりも回転反射板３５側であれば、回転体３２の回転中心Ｏよりも前側に偏心して配置してもよい。
【００５５】
図１４、図１５は本発明の第５の実施例を例示する。この実施例では、支持ケース２９の支持体４１に、回転体３２と同心状に支持部材９１が固定され、この支持部材９１の上端に、回転体３２の上面側の凹部９２に相対回転可能に嵌合する円盤状の支持板９３が固定されている。そして、この支持板９３に光源３３が固定されている。光源３３は回転体３２の回転中心Ｏよりも後方で且つ回転反射板３５が光源３３の後側を通過するときの乱反射面３４の凹入中心Ｐよりも回転反射板３５側に配置されている。
【００５６】
このように支持ケース２９側に固定された支持部材９１を回転体３２に略同心状に配置し、その上端に支持板９３を介して光源３３を設けてもよい。なお、回転反射板３５の位置によっては、光源３３を回転体３２の回転中心Ｏよりも前側に設けてもよい。
【００５７】
以上、本発明の各実施例について詳述したが、本発明は各実施例に限られるものではなく種々の変更が可能である。例えば、光源３３は各実施例に例示する縦長状の他、球状でもよいし、逆Ｕ字状に屈曲する発光体４６を光源カバー４４で覆うようにしたものでもよい。ランプ等の球状の発光体４６を使用する場合には、光源カバー４４は省略してもよい。
【００５８】
光源３３は回転体３２以外の支持ケース２９側に固定することが望ましいが、回転体３３の回転中心Ｏの近傍に配置する場合には、回転体３２上に固定してもよい。回転反射板３５を支持する円板状の回転体３２は省略してもよい。その場合、回転反射板３５と光源３３とを上下両側の支持体４１に分離し、上下の一方側に回転反射板３５とその駆動モータ３８とを設け、他方側に光源３３を設けてもよい。回転反射板３５は回転体３２に着脱自在に設けてもよい。
【００５９】
回転反射板３５、固定反射板３６は共に乱反射面３４を備えているが、単なる反射面でもよい。また回転反射板３５、固定反射板３６に乱反射面３４を設ける場合に、その乱反射面３４は梨子地加工等で粗面状に形成してもよい。
【００６０】
外カバー３０を着色発光させる場合、外カバー３０自体を着色してもよいし、光源カバー４４を着色してもよい。また外カバー３０を省略する場合には、光源カバー４４を着色すればよい。更に発光体４６が所定の色で発光するようにしてもよい。外カバー３０の内周面に乱反射面３４を設けてもよい。
【００６１】
回転表示装置２８は専ら遊技状態を視覚的に演出又は報知する目的で使用されるが、特別遊技状態の他、特別図柄表示手段１４の変動動作中に２個の特別図柄が一致する場合のリーチ演出、変動後の特別図柄が大当たり態様で停止する場合の予告演出等、各種の演出、報知に使用することが可能である。
【００６２】
その場合、回転体３２の回転又は停止と、光源３３又は発光体４６の点灯、消灯又は点滅とを組み合わせて演出又は報知を行うことも可能である。例えば回転体３２を回転させて光源３３又は発光体４６を消灯したり、回転体３２を停止させて光源３３又は発光体４６を点灯又は点滅したりすればよい。更に複数の発光体４６の内、発光個数、発光位置、発光順序を変化させてもよい。
【００６３】
その他、本発明はパチンコ機の各種の弾球遊技機は勿論のこと、弾球遊技機以外のスロットマシン等の遊技機でも同様に実施することができる。  
【符号の説明】
【００６４】
３５  回転反射板
２８  回転表示装置
２９  支持ケース
３０  外カバー
３２  回転体
３３  光源
３４  反射面
４１  支持体
４４  光源カバー
４５  基板
４６  発光体
４９  フランジ部
５４  押え板
５８  コネクタ
５９  受け部
６０  切り欠き部
６２  貫通孔
Ｏ  回転中心
Ｐ  凹入中心
【図１】
2010184157.tif 000003
【図２】
2010184157.tif 000004
【図３】
2010184157.tif 000005
【図４】
2010184157.tif 000006
【図５】
2010184157.tif 000007
【図６】
2010184157.tif 000008
【図７】
2010184157.tif 000009
【図８】
2010184157.tif 000010
【図９】
2010184157.tif 000011
【図１０】
2010184157.tif 000012
【図１１】
2010184157.tif 000013
【図１２】
2010184157.tif 000014
【図１３】
2010184157.tif 000015
【図１４】
2010184157.tif 000016
【図１５】
2010184157.tif 000017
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
光源と、該光源からの光を反射する凹面状の反射面を有し且つ前記光源の外周を回転して前記光源からの光を間欠的に遮光する回転反射板とを含む回転表示装置を備えた遊技機において、前記反射面はその左右幅方向の略全体が凹入中心から略等距離となる平面視湾曲状であり、前記回転反射板は前記凹入中心よりも前記回転反射板の左右幅方向の中央に近い縦方向の回転中心廻りに回転可能であり、縦長状の前記光源は前記回転中心上に略平行に配置し、前記回転反射板の回転域の後側近傍に、前記回転反射板の左右幅よりも大の左右両端が前記回転反射板の両側に突出して前記光源、前記反射面からの光を前方へと反射する固定反射板を備えたことを特徴とする遊技機。
【手続補正２】
【補正対象書類名】明細書
【補正対象項目名】０００８
【補正方法】変更
【補正の内容】
【０００８】
本発明は、光源３３と、該光源３３からの光を反射する凹面状の反射面３４を有し且つ前記光源３３の外周を回転して前記光源３３からの光を間欠的に遮光する回転反射板３５とを含む回転表示装置２８を備えた遊技機において、前記反射面３４はその左右幅方向の略全体が凹入中心Ｐから略等距離となる平面視湾曲状であり、前記回転反射板３５は前記凹入中心Ｐよりも前記回転反射板３５の左右幅方向の中央に近い縦方向の回転中心Ｏ廻りに回転可能であり、縦長状の前記光源３３は前記回転中心Ｏ上に略平行に配置し、前記回転反射板３５の回転域の後側近傍に、前記回転反射板３５の左右幅よりも大の左右両端が前記回転反射板３５の両側に突出して前記光源３３、前記反射面３４からの光を前方へと反射する固定反射板３６を備えたものである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明では、構造上、配置上の制約を極力少なくでき、しかも回転反射板の反射面により光源からの光を広範囲に反射でき、回転反射板の回転による明滅発光をより鮮明にできる。